(57)【特許請求の範囲】
【請求項１】
固定側部材の上に移動体をスライド自在に配置し、
前記移動体と固定側部材の間に移動体をスライドすることでその電気的出力を変化する電気的機能部を設置し、
前記固定側部材の移動体下側の位置に押圧動作にてオン・オフする１つのスイッチを設け、
前記１つのスイッチ上に該スイッチを押圧するスイッチ押圧部を設けた押圧部材を配置するとともに、
前記移動体には、該移動体がスライドする左右両側のそれぞれ所定の位置でそれぞれ前記スイッチ押圧部を押圧して前記１つのスイッチをオン・オフする一対のスライド押圧部を設けたことを特徴とする押圧スイッチ付スライド式電子部品。
【請求項２】
前記一対のスライド押圧部は、前記スイッチ押圧部上を摺接しながら押圧する傾斜面であることを特徴とする請求項１記載の押圧スイッチ付スライド式電子部品。
【請求項３】
前記押圧部材には、移動体の一対のスライド押圧部によって押圧される突起部が設けられていることを特徴とする請求項１又は２記載の押圧スイッチ付スライド式電子部品。
【発明の詳細な説明】
【０００１】
【発明の属する技術分野】
本発明は、押圧スイッチ付スライド式電子部品に関するものである。
【０００２】
【従来の技術】
従来、押圧スイッチ付スライド式電子部品は、基板上に設けられた摺接パターンの電気的出力を変化させるとともに、該基板上に設けられたスイッチがオン・オフするように構成されている。そしてこの種の押圧スイッチ付スライド式電子部品は、これを例えば携帯機器に取り付けるなどのために小型化が要求されている。
【０００３】
図７は従来の押圧スイッチ付スライド式電子部品の概略断面図で、同図（ａ）はスライド前の概略断面図、同図（ｂ）は、スライド後の概略断面図である。同図に示す押圧スイッチ付スライド式電子部品は、ケース１００と、取付板１１０と、摺動子を取り付けた摺動型物１２０と、基板１３０と、反転板１４０とボール１５０とボールガイド機構１６０とつまみ１７０より構成されている。
【０００４】
この押圧スイッチ付スライド式電子部品の構造を以下に説明する。ケース１００内には、摺動子が取り付けられた摺動型物１２０と２つのボール１５０，１５０と２つのボールガイド機構１６０、１６０が収納されている。摺動型物１２０は、ケース１００に設けられた開口１０１を介して、つまみ１７０と一体化されている。なお、摺動型物１２０の左右には突起１２１，１２１が設けられており、該突起１２１の先端は傾斜面１２２を有している。
【０００５】
取付板１１０の上面には、基板１３０が固定されており、この基板１３０に設けられた図示しない２つスイッチ上にそれぞれ反転板１４０、１４０が取り付けられている。なお、反転板１４０，１４０の上にボールガイド機構１６０で保持されたボール１５０、１５０が載置されている。
【０００６】
また、取付板１１０には、上記摺動型物１２０等を収納したケース１００が固定されている。なお、摺動型物１２０には、図示しない弾発部材収納部にコイルスプリングが収納されている。
【０００７】
この押圧スイッチ付スライド式電子部品は、つまみ１７０を中立位置（図７（ａ）参照）から左右にスライドすると、同時に一体化された摺動型物１２０が左右にスライドし、摺動型物１２０に取り付けられた摺動子が基板１３０の図示しない摺接パターン上を摺動し、その抵抗値が変化する。図７（ｂ）に示すように、つまみ１７０を左側にスライドすると、摺動型物１２０の左側の突起１２１の傾斜面１２２がボール１５０に当接し、さらにつまみ１７０をスライドさせことでボール１５０は傾斜面１２２に摺接しながら下側に押圧される。なお、ボール１５０は，ボールガイド機構１６０により反転板１４０の真上を上下動のみ可能である。
【０００８】
このボール１５０が下側に押圧されることで、ボール１５０は反転板１４０を反転させ、基板１３０上の図示しない左側のスイッチを押圧し、該スイッチをオンする。なお、つまみ１７０が右側にスライドする場合も同様に、右側のボール１５０は反転板１４０を反転させ、右側のスイッチをオンする。また、左右にスライドしたつまみ１７０は、摺動型物１２０の弾発部材収納部に収納されているコイルスプリングにより、摺動型物１２０とともに中立位置（図７（ａ）参照）に自動復帰する。
【０００９】
しかし上記構成の押圧スイッチ付スライド式電子部品においては、摺動型物１２０の外部に反転板１４０とスイッチを配置し、ボール１５０を所定の位置に保持し、且つ、このボール１５０を上下動自在に支持できる構成のボールガイド機構１６０を設ける必要があるため、押圧スイッチ付スライド式電子部品の小型化を図ることができなかった。
【００１０】
また、摺動型物１２０がスライドする左右両側にそれぞれスイッチなどを設ける必要があるため部品点数が多く、構造が複雑となり組み立てを容易に行うことはできなかった。
【００１１】
【発明が解決しようとする課題】
本発明は上述の点に鑑みてなされたものでありその目的は、小型化が図れる押圧スイッチ付スライド式電子部品を提供することにある。
【００１２】
【課題を解決するための手段】
上記問題点を解決するため本発明は、固定側部材の上に移動体をスライド自在に配置し、前記移動体と固定側部材の間に移動体をスライドすることでその電気的出力を変化する電気的機能部を設置し、前記固定側部材の移動体下側の位置に押圧動作にてオン・オフする１つのスイッチを設け、前記１つのスイッチ上に該スイッチを押圧するスイッチ押圧部を設けた押圧部材を配置するとともに、前記移動体には、該移動体がスライドする左右両側のそれぞれ所定の位置でそれぞれ前記スイッチ押圧部を押圧して前記１つのスイッチをオン・オフする一対のスライド押圧部を設けたことを特徴とする。
【００１３】
また、一対のスライド押圧部は、スイッチ押圧部上を摺接しながら押圧する傾斜面であることが好ましい。
【００１４】
また、押圧部材には、移動体の一対のスライド押圧部によって押圧される突起部が設けられていることが好ましい。
【００１５】
【発明の実施の形態】
以下、本発明の実施の形態を図面を参照して詳細に説明する。
図１は本発明の一実施形態にかかる押圧スイッチ付スライド式電子部品の概略断面図、図２は図１のＡ−Ａ断面図、図３及び図４は押圧スイッチ付スライド式電子部品の分解斜視図であり、図３及び図４を合わせて押圧スイッチ付スライド式電子部品全体の分解斜視図になるものである。
【００１６】
図１及び図２に示すようにこの押圧スイッチ付スライド式電子部品は、取付板１０と、フレキシブル基板２０と、移動体（以下、「摺動型物３０」とする。）と、摺動子４０と、押圧部材５０と、ケース６０と、つまみ７０とコイルスプリング８０とを具備して構成されている。以下各構成部品について説明する。
【００１７】
取付板１０は、図４に示すように金属板を略正方形状に形成して構成されており、その四隅に固定用穴１１が設けられ、その上面の略中央部には長方形状の凹部１２が設けられている。また、凹部１２で仕切られる一方の面（図４の右側）には、４つの穴１３が設けられている。
【００１８】
フレキシブル基板２０は可撓性の合成樹脂シートであり、図５に示すように略同一形状の第一、第二基板部２１、２２を連結部２３で連結して構成されている。
【００１９】
第一基板部２１には、略中央部に長方形状の開口部２１１が設けられている。この開口部２１１で仕切られる一方（図５の右側）の上面には接点Ｓが形成され、他方（図５の左側）の上面には、摺接パターン（抵抗体パターンや集電パターンやスイッチパターン等）２１２、２１３が形成されている。また、接点Ｓを囲むようにスペーサ層２１４が形成されており、取付板１０の固定用穴１１及び穴１３に対応する位置にそれぞれ穴２１５、２１６が設けられている。なお、第一基板部２１の所定部分には、これを外部に引き出す引き出し部２１７が引き出されている。
【００２０】
第二基板部２２には、第一基板部２１と同様に開口部２２１が設けられている。この開口部２２１で仕切られる一方（図５の右側）の所定の位置には、パターン用開口部２２２が設けられ、他方（図５の左側）の上面には接点Ｓが形成されている。また、第一基板部と同様に接点Ｓを囲むようにスペーサ層２２３が形成されており、取付板１０の固定用穴１１及び穴１３に対応する位置にそれぞれ穴２２４、２２５が設けられている。
【００２１】
連結部２３の部分で折り曲げることで第一基板部２１上に第二基板部２２を重ね合わせ、両接点Ｓをそれぞれ所定の隙間（スペーサ層２１４、２２３を重ね合わせた厚さの隙間）を介して対向させることでスイッチ２４が構成される（図１参照）。ここで、第一基板部２１の摺接パターン２１２、２１３は、第二基板部２２のパターン用開口部２２２により、第一基板部２１と第二基板部２２を重ね合わせても、フレキシブル基板２０の上面に露出した状態となる。
【００２２】
摺動型物３０は図３に示すように合成樹脂を略長方形状に成形して構成されており、その上面にコイルスプリング８０を収納する弾発部材収納部３１が設けられ、その両側にそれぞれ穴３２、３２が設けられている。なお、弾発部材収納部３１の端部には、それぞれ開口部３３、３３が設けられている。
【００２３】
また、摺動型物３０はそのスライド方向に対して垂直な方向の一方（図３の右側）には、この摺動型物３０の下面まで連通する開口部３４が設けられており、摺動型物３０の下面であって開口部３４の両側には、図１に示すように後述する押圧部材５０の突起部５３を摺接しながら押圧する傾斜面からなるスライド押圧部３５、３５が設けられている。なお、摺動型物３０はそのスライド方向に対して垂直な方向の一方（図３の左側）の下面には、凹状の摺動子収納部３６が設けられ、この摺動子収納部３６の所定の箇所に突起３７が設けられている。
【００２４】
摺動子４０は、図３に示すように略長方形状の弾性金属板製であり、基部４１には小穴４２が設けられ、この基部４１の端部からはＵ字状に折り曲げられて突出する摺接部４３が設けられている。
【００２５】
押圧部材５０は、図３に示すように合成樹脂成形品であり、コ字状の押圧部材本体５１とこの押圧部材本体５１の内側面の両端を繋げる弾性を有する押圧板５２により構成されている。また、押圧板５２の中央部上面には突起部５３が設けられ、下面には突起部５３と対向する位置にスイッチ押圧部５４が下方に突出して設けられている。また、押圧部材本体５１の四隅の下端にはそれぞれ小突起５５が設けられている。
【００２６】
さらに押圧部材本体５１の下部には、フレキシブル基板２０上に押圧部材５０を配置した際に、このフレキシブル基板２０に取り付けられた反転板２５が押圧部材５０に干渉することを防ぐための凹部５６が設けられている。なお、押圧板５２は、押圧部材本体５１の上面と同じ高さから、押圧部材本体５１の厚みより薄い厚みで成形されている。このため、反転板２５を取り付けたフレキシブル基板２０上に押圧部材５０を配置した状態では、押圧板５２のスイッチ押圧部５４が反転板２５を下方に押圧し反転させることはない。
【００２７】
ケース６０は、図３に示すように合成樹脂成形品であり、その上面には長方形状の２つの開口６１、６１が設けられ、ケース６０側面の四隅の下端にはそれぞれ突起６２が設けられている。また、開口６１の下部には、摺動型物３０の弾発部材収納部３１の開口部３３、３３に対応する位置にそれぞれ係止部材６３、６３が設けられている。
【００２８】
つまみ７０は、図３に示すように合成樹脂を断面が略凸状となるように形成して構成されており、上面の左右にそれぞれ操作部７１、７１が設けられ、つまみ７０の下面中央部には２つの突起７２、７２が下方に突出して設けられている（図２参照）。なお、突起７２の径は、下記に示す一体化したつまみ７０と摺動型物３０がスライドできるように開口６１の幅より若干短くなっている（図２参照）。
【００２９】
コイルスプリング８０は、図３に示すように弾性金属製の線材より構成されており、その外径は摺動型物３０の弾発部材収納部３１の幅と略同一か又は若干小さいものである。
【００３０】
次にこの押圧スイッチ付スライド式電子部品の組立方法を説明する。まず、フレキシブル基板２０の第二基板部２２を連結部２３から折り曲げて第一基板部２１の上に重ね合わせ、両接点Ｓをそれぞれ所定の隙間を介して対向させスイッチ２４を構成し、このスイッチ２４上に反転板２５を取り付ける。
【００３１】
次に取付板１０の上にフレキシブル基板２０を配置し、このフレキシブル基板２０の上に押圧部材５０を配置し、押圧部材５０の小突起５５をフレキシブル基板２０の穴２１６、２２５及び取付板１０の穴１３に挿入し、取付板１０の下面から突出した小突起５５の先端を熱カシメすることで取付板１０、フレキシブル基板２０及び押圧部材５０を固定する。このとき、押圧部材５０のスイッチ押圧部５４は、反転板２５の上部に位置するように取り付けられている（図１参照）。
【００３２】
摺動子４０を摺動型物３０の摺動子収納部３６の下面に配置し、摺動子収納部３６の突起３７に摺動子４０の小穴４２を挿入してその先端を熱カシメすることで摺動型物３０に摺動子４０を固定する。また、この摺動型物３０の弾発部材収納部３１にコイルスプリング８０を収納する。このとき、コイルスプリング８０は、摺動型物３０の弾発部材収納部３１の両側面を弾発した状態で収納されている。
【００３３】
次に摺動子４０、コイルスプリング８０を取り付けた摺動型物３０をケース６０内に収納する。次につまみ７０をケース６０の開口６１、６１の上に配置し、つまみ７０の突起７２、７２をそれぞれの開口６１、６１を介して摺動型物３０の穴３２、３２に挿入し、摺動型物３０下面から突出した突起７２、７２の先端を熱カシメすることでつまみ７０と摺動型物３０を一体に固定する。なお、ケース６０に設けられた２つの係止部材６３、６３は、摺動型物３０の弾発部材収納部３１の端部に設けられた開口部３３、３３に挿入され、かつ、コイルスプリング８０の端部と当接した状態となる。
【００３４】
次にフレキシブル基板２０及び押圧部材５０を取り付けた取付板１０の上にケース６０を配置し、ケース６０に設けた四つの突起６２を取付板１０の４つの固定用穴１１及びフレキシブル基板２０のそれぞれ４つの穴２１５、２２４に挿入して突起６２の先端を熱カシメし、これによってこの押圧スイッチ付スライド式電子部品の組立を完了する。このとき、押圧部材５０の突起部５３は、摺動型物３０の開口部３４の略中央に位置する。なお、取付板１０、フレキシブル基板２０、ケース６０などの摺動型物３０（移動体）のスライド時に静止している部材を固定側部材とする。
【００３５】
次にこの押圧スイッチ付スライド式電子部品の動作を説明する。図６は本押圧スイッチ付スライド式電子部品の動作説明図である。まず、図１に示すようにつまみ７０が中立位置の状態から一方の操作部７１（図１の右側）を押圧して矢印Ｂ方向にスライドさせる。
【００３６】
つまみ７０をスライドさせると同時に一体化された摺動型物３０も矢印Ｂ方向にスライドし、摺動型物３０に取り付けられた摺動子４０もスライドする。この摺動子４０の摺接部４３がフレキシブル基板２０の摺接パターン２１２、２１３上を摺接し、その電気的出力を変化させることで電気的機能部として機能する。
【００３７】
上記つまみ７０をさらに矢印Ｂ方向にスライドさせると、図６に示すように、摺動型物３０に設けられた２つのスライド押圧部３５の一方に押圧部材５０の突起部５３が摺接する。この突起部５３がスライド押圧部３５である傾斜面を摺接することで、突起部５３は下方に押圧され、押圧板５２が弾性変形して下方に撓む。そして、この押圧板５２の下面に設けられたスイッチ押圧部５４が反転板２５を押圧し、反転板２５が反転して第一基板部２１及び第二基板部２２のそれぞれに設けられた接点Ｓが導通し、スイッチ２４がオンする。即ち、つまみ７０をスライドさせることで、摺動子４０と摺接パターン２１２，２１３で構成される電気的機能部の電気的出力が変化し、さらにつまみ７０をスライドするとクリック感覚を伴ってスイッチ２４がオンする。
【００３８】
なお、つまみ７０のスライド時には、コイルスプリング８０は、摺動型物３０の弾発部材収納部３１の一端面（弾発部材収納部３１の右側面）とケース６０の一方の係止部材６３（図６において左側）の一端面（係止部材６３の右側面）との間を弾発している状態である。
【００３９】
また、つまみ７０の一方の操作部７１への押圧を解除するとコイルスプリング８０の弾発力により、摺動型物３０及びつまみ７０が図１に示す中立位置まで自動復帰する。なお、摺動型物３０が自動復帰することで、押圧部材５０のスイッチ押圧部５４の押圧が解除されるため、スイッチ２４はオフとなる。
【００４０】
また、図１に示す中立位置の状態からつまみ７０の他方の操作部７１（図１の左側）を押圧して矢印Ｂ方向とは反対方向にスライドさせると、同時に一体化された摺動型物３０も同方向にスライドする。この場合も、つまみ７０をスライドさせることで、摺動子４０と摺接パターン２１２，２１３で構成される電気的機能部の電気的出力が変化し、さらにつまみ７０をスライドするとクリック感覚を伴ってスイッチ２４がオンする。
【００４１】
そして、つまみ７０の他方の操作部７１への押圧を解除するとコイルスプリング８０の弾発力により、摺動型物３０及びつまみ７０が図１に示す中立位置まで自動復帰する。
【００４２】
この押圧スイッチ付スライド式電子部品は図１に示すように、フレキシブル基板２０上に設けた１つのスイッチ２４上に該スイッチ２４を押圧するスイッチ押圧部５４を設けた押圧部材５０を配置するとともに、摺動型物（移動体）３０に設けた一対のスライド押圧部３５により、この摺動型物３０がスライドする左右両側でスイッチ押圧部５４を押圧し、スイッチ２４がオンするので、摺動型物３０の外部にスイッチ２４を設ける必要ないため、押圧スイッチ付スライド式電子部品の小型化を図ることができる。また、本押圧スイッチ付スライド式電子部品では、スイッチ２４は１つであり、摺動型物３０がスライドする左右両側にそれぞれスイッチを設ける必要がないため、部品点数が少なくでき、構造が簡単となり、組み立てを容易に行うことができる。また、押圧スイッチ付スライド式電子部品の低コスト化が図ることができる
【００４３】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載がない何れの形状や構造や材質であっても、本願発明の作用・効果を奏する以上、本願発明の技術的思想の範囲内である。例えば、本実施形態ではフレキシブル基板２０上のスイッチ２４は、押圧部材５０のスイッチ押圧部５４が反転板２５を反転させることでオンする構成としたが、これに限定されるものではなく、押圧部材５０のスイッチ押圧部５４がフレキシブル基板２０上に設けられたスイッチをオンする構成であればどのような構成であっても良い。また、該スライド押圧部３５は傾斜面により構成されているが、押圧部材５０の突起部５３と同様の突起を下方に突出させて構成しても良い。さらに、スイッチ２４がオンする位置を摺動型物３０のスライド方向両終端としたが、それ以外の所定の位置でオンするようにしても良い。
【００４４】
【発明の効果】
以上詳細に説明したように本発明によれば、固定側部材の移動体下側の位置に押圧動作にてオン・オフするスイッチを設け、スイッチ上に該スイッチを押圧するスイッチ押圧部を設けた押圧部材を配置するとともに、移動体には、該移動体がスライドする際に前記スイッチ押圧部を押圧してスイッチをオン・オフするスライド押圧部を設けたので、移動体の外部にスイッチを配置する必要がなく押圧スイッチ付スライド式電子部品の小型化を図ることができる。
【図面の簡単な説明】
【図１】本発明の一実施形態にかかる押圧スイッチ付スライド式電子部品の概略断面図である。
【図２】図１のＡ−Ａ断面図である。
【図３】押圧スイッチ付スライド式電子部品の分解斜視図（上半分）である。
【図４】押圧スイッチ付スライド式電子部品の分解斜視図（下半分）である。
【図５】フレキシブル基板２０の展開平面図である。
【図６】押圧スイッチ付スライド式電子部品の動作説明図である。
【図７】従来の押圧スイッチ付スライド式電子部品の概略断面図で、同図（ａ）はスライド前の概略断面図、同図（ｂ）は、スライド後の概略断面図である。
【符号の説明】
１０  取付板
２０  フレキシブル基板
３０  摺動型物（移動体）
４０  摺動子
５０  押圧部材
６０  ケース
７０  つまみ
８０  コイルスプリング
【図１】
0003788764.tif 000002
【図２】
0003788764.tif 000003
【図３】
0003788764.tif 000004
【図４】
0003788764.tif 000005
【図５】
0003788764.tif 000006
【図６】
0003788764.tif 000007
【図７】
0003788764.tif 000008